(57)【要約】【課題】  従来のＯＦＤＭ無線通信装置においては、無線通信の安全性に関しては、暗号化によるデータの秘匿や装置／ユーザの認証といった無線通信システムとは別の部分に依存している。無線通信システム内において、無線通信の安全性を確保できるＯＦＤＭ無線通信装置を提供する。【解決手段】  それぞれ異なるデータ変換方式を採用するシリアル／パラレル変換回路６ａ〜６ｄと、それぞれ異なるデータ変換方式を採用するパラレル／シリアル変換回路１８ａ〜１８ｄとを備え、演算回路２４において、符号、ＧＰＳ時刻情報および鍵情報などを用いて選択信号を生成し、この選択信号に応じてシリアル／パラレル変換回路６ａ〜６ｄおよびパラレル／シリアル変換回路１８ａ〜１８ｄを選択する。【選択図】  図１
2010166213.tif 000002
【特許請求の範囲】
【請求項１】
シリアルデータからパラレルデータに変換する変換方式を複数有するシリアル／パラレル変換部と、
パラレルデータからシリアルデータに変換する変換方式を複数有するパラレル／シリアル変換部と、
選択信号を生成する演算回路と、
を備え、
前記選択信号に応じて、前記シリアル／パラレル変換部および前記パラレル／シリアル変換部の変換方式を変更することを特徴とするＯＦＤＭ無線通信装置。
【請求項２】
前記演算回路は、符号、ＧＰＳ時刻情報および鍵情報の少なくとも一つに基づき、前記選択信号を生成することを特徴とする請求項１に記載のＯＦＤＭ無線通信装置。
【発明の詳細な説明】
【技術分野】
【０００１】
本発明は、変調方式にＯＦＤＭを用いた無線通信装置に関するものである。
【背景技術】
【０００２】
近年、ＩＥＥＥ８０２．１１で規定される無線ＬＡＮ（Ｌｏｃａｌ  Ａｒｅａ  Ｎｅｔｗｏｒｋ）等に代表されるように、周波数利用効率の向上を目指し、変調方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を採用する無線通信システムが増加している。また、周波数の干渉を時間的に回避し、通信効率を向上させるため、周波数ホッピング（ＦＨ：Ｆｒｅｑｕｅｎｃｙ  Ｈｏｐｐｉｎｇ）を用いた通信方式もある。
【０００３】
これらを組み合わせたシステムにおいて、高速の周波数ホッピングを目的とした方式が提案されている（例えば、特許文献１参照）。また、干渉や雑音を測定することを目的とした方式（例えば、特許文献２参照）や、チャネル推定を行う方式（例えば、特許文献３参照）が提案されている。
【０００４】
一方、タイミング同期処理を高速かつ高性能に実現することを目的とした方式も提案されている（例えば、特許文献４参照）。
【先行技術文献】
【特許文献】
【０００５】
【特許文献１】特表２００７−５００４８６号公報
【特許文献２】特表２００７−５００４８９号公報
【特許文献３】特表２００７−５２０１７５号公報
【特許文献４】特表２００７−１９９８５号公報
【発明の概要】
【発明が解決しようとする課題】
【０００６】
しかしながら、上述の従来装置においては、特許文献１や特許文献４のように、ＦＨ−ＯＦＤＭ無線通信システムの通信部分の高性能化を目的としたり、特許文献２や特許文献３のように実際の通信からの拡張を目的としている。そのため、無線通信の安全性に関しては、暗号化によるデータの秘匿や装置／ユーザの認証のみに依存している。しかし、暗号化や装置／ユーザの認証は、無線通信システムで閉じておらず、無線通信システムの上位装置であるアプリケーションサーバ等で行われることがある。この場合、無線通信の安全性をアプリケーションサーバ等の外部装置に依存して確保せねばならず、無線通信システム内において、更なる無線通信の安全性の確保が望まれている。
【０００７】
本発明は、上記問題点を解決するためになされたもので、ＯＦＤＭ無線通信システムに閉じた範囲内において、無線通信データのランダム性および秘匿性を向上させることができるＯＦＤＭ無線通信装置を提供することを目的とする。
【課題を解決するための手段】
【０００８】
本発明に係るＯＦＤＭ無線通信装置は、シリアルデータからパラレルデータに変換する変換方式を複数有するシリアル／パラレル変換部と、パラレルデータからシリアルデータに変換する変換方式を複数有するパラレル／シリアル変換部と、選択信号を生成する演算回路とを備え、選択信号に応じて、シリアル／パラレル変換部およびパラレル／シリアル変換部の変換方式を変更するものである。
【発明の効果】
【０００９】
本発明によれば、複数のデータ変換方式を切り替えて使用することにより、データのかき混ぜ方を変更できるため、無線通信データのランダム性を向上できるという効果が得られる。
【図面の簡単な説明】
【００１０】
【図１】本発明の実施の形態１によるＯＦＤＭ無線通信装置１の構成を示すブロック図である。
【図２】本発明の実施の形態１によるシリアル／パラレル変換回路６ａおよび対応するパラレル／シリアル変換回路１８ａを示すブロック図である。
【図３】本発明の実施の形態１によるシリアル／パラレル変換回路６ｂおよび対応するパラレル／シリアル変換回路１８ｂを示すブロック図である。
【図４】図３に示すシリアル／パラレル変換回路６ｂおよびパラレル／シリアル変換回路１８ｂでのデータ変換方式を説明する図である。
【図５】本発明の実施の形態１による符号、ＧＰＳ時刻情報および鍵情報の一例を示す図である。
【図６】本発明の実施の形態１による演算回路２４での選択信号の生成手法を示す図である。
【図７】図５に示す各信号を用いた場合の選択信号の生成手法を説明する図である。
【図８】本発明の実施の形態２によるＯＦＤＭ無線通信装置１００の構成を示すブロック図である。
【図９】本発明の実施の形態２による演算回路１２４での選択信号の生成手法を示す図である。
【図１０】本発明の実施の形態２による演算回路１２４での選択信号の生成手法を示す図である。
【図１１】本発明の実施の形態３によるＯＦＤＭ無線通信装置１１０の構成を示すブロック図である。
【図１２】本発明の実施の形態４によるＯＦＤＭ無線通信装置１２０、１３０の構成を示すブロック図である。
【発明を実施するための形態】
【００１１】
本発明に係るＯＦＤＭ無線通信装置の実施の形態について、図面を参照して説明する。以下の各図において、同一符号は、同一または相当の構成を示す。
【００１２】
実施の形態１．
図１は、本発明の実施の形態１によるＯＦＤＭ無線通信装置１の構成を示すブロック図である。ＯＦＤＭ無線通信装置１は以下の回路等を有している。まず、送信側について説明する。ＯＦＤＭ無線通信装置１に送信データが入力されると、鍵生成部２２から入力される鍵情報を用いて、暗号化回路３において送信データが暗号化される。暗号化された送信データは、さらに、誤り訂正符号化回路４において誤り訂正符号化される。
【００１３】
シリアル／パラレル変換部６は、複数のシリアル／パラレル変換回路６ａ、６ｂ、６ｃ、６ｄを有している。シリアル／パラレル変換回路６ａ、６ｂ、６ｃ、６ｄは、それぞれ異なるシリアル／パラレルデータ変換方式を採用している。選択回路５ａは、演算回路２４から入力される選択信号に応じて、複数のシリアル／パラレル変換回路６ａ、６ｂ、６ｃ、６ｄの中から特定のシリアル／パラレル変換回路（即ち、特定のシリアル／パラレルデータ変換方式）を選択し、送信データ（シリアルデータ）を入力する。
【００１４】
選択回路５ａにより選択されたシリアル／パラレル変換回路は、入力されたシリアルデータをパラレルデータに変換して出力する。選択回路５ｂでは、選択回路５ａと同様に、演算回路２４からの選択信号に応じて、複数のシリアル／パラレル変換回路６ａ、６ｂ、６ｃ、６ｄの中から特定のシリアル／パラレル変換回路を選択し、当該変換回路が出力するパラレルデータをＩＦＦＴ回路７に出力する。
【００１５】
ＩＦＦＴ回路７は、パラレルデータを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）することにより、マルチキャリア化して変調を行う。ＧＩ付加回路８は、ＩＦＦＴ回路７から出力された送信データに、干渉を軽減するためのガードインタバルを挿入する。波形成形回路９において波形成形された送信データは、ＩチャネルおよびＱチャネルのデータとして直交変調回路１０に入力される。
【００１６】
直交変調回路１０では、ＩチャネルとＱチャネルのデータに対して、コサイン波と位相が９０°ずれたサイン波とで直交変調を行う。直交変調回路１０は、発振器２９から入力される中間周波数（ＩＦ：Ｉｎｔｅｒｍｅｄｉａｔｅ  Ｆｒｅｑｕｅｎｃｙ）のローカル信号で直交変調を行う。ミキサ１１は、シンセサイザ２６からのローカル信号をもとに中間周波数から搬送波周波数へ周波数変換を行う。無線送信レベルに増幅された送信波は、ＴＲスイッチ１２を介してアンテナ３０から送信される。なお、シンセサイザ２６は、符号発生器２５で生成される符号に基づいて、出力するローカル信号の周波数を制御する。符号発生器２５は、例えば、ＰＮ符号などを生成する。このＰＮ符号により、シンセサイザ２６が出力するローカル信号の周波数を制御し、周波数ホッピングを実現している。
【００１７】
次に、受信側について説明する。アンテナ３０から受信した信号は、ＴＲスイッチ１２が切替わることにより、受信側に出力される。シンセサイザ２６からのローカル信号と受信信号とがミキサ１３に入力され、ミキサ１３において、受信信号は搬送波周波数から中間周波数へ周波数変換される。周波数変換された受信信号を、ＡＧＣアンプ１４においてゲイン調整した後、直交検波回路１５において直交検波する。
【００１８】
ＡＦＣ（Ａｕｔｏ  Ｆｒｅｑｕｅｎｃｙ  Ｃｏｎｔｒｏｌ）回路２７は、直交検波回路１５が検波した信号の主としてプリアンブル部を用いて、受信した信号の周波数を自動で復元し、発振器２８に対してフィードバックをかけて、直交検波回路１５へ入力するローカル信号（ＩＦ）の周波数調整を行う。
【００１９】
ＧＩ除去回路１６において、受信信号からガードインタバルを除去した後、ＦＦＴ回路１７において、受信信号を高速フーリエ変換（ＦＦＴ：Ｆａｓｔ  Ｆｏｕｒｉｅｒ  Ｔｒａｎｓｆｏｒｍ）することにより、サブキャリア毎に復調を行う。なお、パイロット信号を用いて、サブキャリアを補正する過程は、従来技術と同様である。
【００２０】
パラレル／シリアル変換部１８は、複数のパラレル／シリアル変換回路１８ａ、１８ｂ、１８ｃ、１８ｄを有している。パラレル／シリアル変換回路１８ａ、１８ｂ、１８ｃ、１８ｄは、それぞれ異なるパラレル／シリアルデータ変換方式を採用している。選択回路５ｃは、演算回路２４から入力される選択信号に応じて、複数のパラレル／シリアル変換回路１８ａ、１８ｂ、１８ｃ、１８ｄの中から特定のパラレル／シリアル変換回路（即ち、特定のパラレル／シリアルデータ変換方式）を選択し、受信データ（パラレルデータ）を入力する。選択されたパラレル／シリアル変換回路により変換されたシリアルデータについて、誤り訂正復号化回路１９で誤り訂正復号化を行い、鍵生成部２２で生成された鍵情報を用いて、暗号復号化回路２０で暗号の復号化を行う。
【００２１】
このとき、シリアル／パラレル変換部６とパラレル／シリアル変換部１８とでは、逆変換可能な変換回路を持つ必要がある。図２は本発明の実施の形態１によるシリアル／パラレル変換回路６ａおよび対応するパラレル／シリアル変換回路１８ａを示すブロック図である。図２（ａ）はシリアル／パラレル変換回路６ａを示すブロック図であり、図２（ｂ）はパラレル／シリアル変換回路１８ａを示すブロック図である。シリアル／パラレル変換回路６ａとパラレル／シリアル変換回路１８ａとは、逆変換が可能な変換回路である。
【００２２】
図中、ａ（ｎ）は、２値データ信号列であるシリアルデータのｎビット目のビットデータを示している。シリアル／パラレル変換回路６ａでは４ビット毎にデータをパラレル化している。ａ（ｎ）をパラレル出力１へ出力し、ａ（ｎ＋１）をパラレル出力２へ出力し、ａ（ｎ＋２）をパラレル出力３へ出力し、ａ（ｎ＋３）をパラレル出力４へ出力している。対応するパラレル／シリアル変換回路１８ａでは４つのパラレルデータをシリアル化している。パラレル入力１をａ（ｎ）に設定し、パラレル入力２をａ（ｎ＋１）に設定し、パラレル入力３をａ（ｎ＋２）に設定し、パラレル入力４をａ（ｎ＋３）に設定して、シフトレジスタによりシリアルデータを出力している。
【００２３】
図３は本発明の実施の形態１によるシリアル／パラレル変換回路６ｂおよび対応するパラレル／シリアル変換回路１８ｂを示すブロック図である。図３（ａ）はシリアル／パラレル変換回路６ｂを示すブロック図であり、図３（ｂ）はパラレル／シリアル変換回路１８ｂを示すブロック図である。シリアル／パラレル変換回路６ｂとパラレル／シリアル変換回路１８ｂとは、逆変換が可能な変換回路である。
【００２４】
シリアル／パラレル変換回路６ｂでは、ａ（ｎ）をパラレル出力２へ出力し、ａ（ｎ＋１）をパラレル出力１へ出力し、ａ（ｎ＋２）をパラレル出力４へ出力し、ａ（ｎ＋３）をパラレル出力３へ出力している。対応するパラレル／シリアル変換回路１８ｂでは４つのパラレルデータをシリアル化している。パラレル入力２をａ（ｎ）に設定し、パラレル入力１をａ（ｎ＋１）に設定し、パラレル入力４をａ（ｎ＋２）に設定し、パラレル入力３をａ（ｎ＋３）に設定して、シフトレジスタによりシリアルデータを出力している。
【００２５】
図４は図３に示すシリアル／パラレル変換回路６ｂおよびパラレル／シリアル変換回路１８ｂでのデータ変換方式を説明する図である。シリアル／パラレル変換回路６ｂに入力されたシリアルデータ”１１０１１１０１・・・”は、パラレル出力２→パラレル出力１→パラレル出力４→パラレル出力３→パラレル出力２・・・の順にパラレルデータに変換されて出力される。無線通信を介して受信されたパラレルデータは、パラレル／シリアル変換回路１８ｂに入力され、パラレル入力２→パラレル入力１→パラレル入力４→パラレル入力３→パラレル入力２・・・の順にシリアルデータに変換されて出力される。
【００２６】
なお、図２および図３に示したシリアル／パラレル変換回路６ａ、６ｂとパラレル／シリアル変換回路１８ａ、１８ｂとは、あくまでもデータ変換方式の一例であり、これに限られたものでないことは言うまでもない。パラレル出力数およびパラレル入力数は４に限られたものではなく、任意の数に設定可能である。データ変換方式が異なる変換回路を複数用意することで、同じシリアルデータが送信データとして入力されたとしても、パラレルデータとしては異なったものを出力可能となる。
【００２７】
次に、演算回路２４について説明する。演算回路２４には、符号発生器２５で生成した符号と、鍵生成器２２で生成した鍵情報と、ＧＰＳ情報取得部２３で取得したＧＰＳ時刻情報とが入力される。図５は本発明の実施の形態１による符号、ＧＰＳ時刻情報および鍵情報の一例を示す図である。図６は本発明の実施の形態１による演算回路２４での選択信号の生成手法を示す図である。図５（ａ）は符号発生器２５で生成した符号の一例を、図５（ｂ）はＧＰＳ時刻情報の一例を、図５（ｃ）は鍵情報の一例をそれぞれ示している。
【００２８】
演算回路２４では、図６に示すように、符号とＧＰＳ時刻情報とをビット毎に排他論理和し、その出力信号と鍵情報とをビット毎に排他論理和する。こうして得られた信号の下位２ビットを抽出して選択信号として選択回路５ａ、５ｂ、５ｃ、５ｄへ出力する。選択回路５ａ、５ｂ、５ｃ、５ｄでは、選択信号に応じたシリアル／パラレル変換回路、パラレル／シリアル変換回路を選択する。例えば、選択信号が”００”の場合は、シリアル／パラレル変換回路６ａ、パラレル／シリアル変換回路１８ａが選択され、選択信号が”０１”の場合は、シリアル／パラレル変換回路６ｂ、パラレル／シリアル変換回路１８ｂが選択され、選択信号が”１０”の場合は、シリアル／パラレル変換回路６ｃ、パラレル／シリアル変換回路１８ｃが選択され、選択信号が”１１”の場合は、シリアル／パラレル変換回路６ｄ、パラレル／シリアル変換回路１８ｄが選択される。
【００２９】
図７は図５に示す各信号を用いた場合の選択信号の生成手法を説明する図である。図５および図７に示すように、符号、ＧＰＳ時刻情報、鍵情報は、その一部を使用することもあり得る。符号発生器２５が生成した、例えば、Ｍ系列の符号”０００１１１１０１０１１００１”とＧＰＳ時刻情報の一部”０００１０００１００１００１１０”とのビット毎の排他論理和は”０００１１１１００１１１１１１１”である。この信号と鍵情報の一部”０００１１０１０１１０１０１０１”との排他論理和は”０００００１００１０１０１０１０”であり、下位２ビットを抽出して”１０”が選択信号となる。
【００３０】
符合、ＧＰＳ時刻情報、鍵情報が変化すると選択信号も変化するため、選択回路５ａ、５ｂ、５ｃ、５ｄにより選択されるシリアル／パラレル変換回路６ａ、６ｂ、６ｃ、６ｄ、パラレル／シリアル変換回路１８ａ、１８ｂ、１８ｃ、１８ｄも変化する。即ち、選択信号に応じて、シリアル／パラレル変換（および対応するパラレル／シリアル変換）のデータ変換方式が変化する。
【００３１】
図６および図７においては、２ビットの選択信号の生成手法について説明したが、選択信号のビット数は２ビットに限られたものではない。選択信号のビット数は、シリアル／パラレル変換回路の数（即ち、データ変換方式の種類）と関連している。シリアル／パラレル変換回路の数が２ｎ以下の場合、選択信号のビット数をｎとすればよい。なお、演算回路２４において下位２ビットを抽出して選択信号としたが、任意のビット（例えば、下位５ビット目と６ビット目など）を抽出して選択信号としてもよい。
【００３２】
これまで示した回路等は、あくまでも一例であり、シリアル／パラレル変換回路６ａ、６ｂ、６ｃ、６ｄ、パラレル／シリアル変換回路１８ａ、１８ｂ、１８ｃ、１８ｄ、演算回路２４等は、様々な形態が考えられる。また、符号、ＧＰＳ時刻情報、鍵情報についても、入力フォーマットから使用するビット情報まであくまでも一例である。これらの情報の全て、もしくは、一部を用いて、構築した演算回路２４において、選択信号を決定出来る。
【００３３】
なお、送信側のＯＦＤＭ無線通信装置１（例えば、基地局）におけるシリアル／パラレル変換回路６ａ、６ｂ、６ｃ、６ｄの切り替えと、受信側のＯＦＤＭ無線通信装置１（例えば、移動局）におけるパラレル／シリアル変換回路１８ａ、１８ｂ、１８ｃ、１８ｄの切り替えとは、無線フレームタイミングに合わせておけばよい。移動局は基地局の無線フレームタイミングに同期しているため、両者の切り替えタイミングを合わせることができる。また、ＧＰＳ時刻情報を用いて、切り替えタイミングを合わせることも考えられる。
【００３４】
本発明の実施の形態１によれば、複数のデータ変換方式を切り替えて使用することにより、データのかき混ぜ方を変更できるため、無線通信データのランダム性を向上できるという効果が得られる。
【００３５】
また、本発明の実施の形態１によれば、演算回路２４において生成する選択信号により、無線通信中に、送信側のシリアル／パラレル変換部６と、受信側のパラレル／シリアル変換部１８のデータ変換方式を変更することができる。選択信号に周期性はないため、第三者によるデータ変換方式の推定が困難となり、無線通信データの秘匿性が向上し、無線通信の安全性が高まるという効果が得られる。
【００３６】
実施の形態２．
実施の形態１では、演算回路２４において、符号、ＧＰＳ時刻情報および鍵情報を用いて選択信号を生成したが、これに限られたものではない。図８は本発明の実施の形態２によるＯＦＤＭ無線通信装置１００の構成を示すブロック図である。図８に示すＯＦＤＭ無線通信装置１００は、実施の形態１と同様の構成であるが、演算回路１２４には符号と鍵情報のみが入力される点が相違する。
【００３７】
図９は本発明の実施の形態２による演算回路１２４での選択信号の生成手法を示す図である。演算回路１２４では、符号と鍵情報とをビット毎に排他論理和し、得られた信号の下位２ビット（もしくは任意のビット）を抽出して選択信号として選択回路５ａ、５ｂ、５ｃ、５ｄへ出力する。また、上記以外にも、演算回路１２４に対して、符号とＧＰＳ時刻情報のみを入力してもよく、ＧＰＳ時刻情報と鍵情報のみを入力してもよい。さらに、符号、ＧＰＳ時刻情報、鍵情報のいずれか１つのみを演算回路１２４に入力し、排他論理和演算を行わずに、入力された信号の下位２ビット（もしくは任意のビット）を抽出して選択信号を生成してもよい。
【００３８】
また、実施の形態１における演算回路２４において、入力されない信号に対して、予め定められたビット列を設定するようにしてもよい。図１０は本発明の実施の形態２による演算回路１２４での選択信号の生成手法を示す図である。ＧＰＳ時刻情報が入力されない場合、演算回路１２４は、ＧＰＳ時刻情報に所定のデータ（例えば、”００１００１０１１１００１０１１”）を設定して、実施の形態１と同様の演算を行う。
【００３９】
本発明の実施の形態２によれば、実施の形態１と同様の効果が得られる。また、演算回路１２４を簡略化できるという効果が得られる。
【００４０】
実施の形態３．
実施の形態１では、変換方式が異なるシリアル／パラレル変換回路６ａ〜６ｄとパラレル／シリアル変換回路１８ａ〜１８ｄとをそれぞれ複数備え、選択回路５ａ〜５ｄにおいて、変換回路を選択したが、単一のシリアル／パラレル変換回路６０および単一のパラレル／シリアル変換回路１８０で構成してもよい。シリアル／パラレル変換回路６０およびパラレル／シリアル変換回路１８０は、データ変換方式が可変な回路により構成される。
【００４１】
図１１は本発明の実施の形態３によるＯＦＤＭ無線通信装置１１０の構成を示すブロック図である。演算回路２４で生成した選択信号に応じて、シリアル／パラレル変換回路６０は所定のシリアル／パラレルデータ変換方式を自ら変更する。また、パラレル／シリアル変換回路１８０でも同様に、選択信号に応じて、所定のパラレル／シリアルデータ変換方式を自ら変更する。なお、データ変換方式は実施の形態１で説明したものと同様であるため、ここでは説明を省略する。シリアル／パラレル変換回路６０およびパラレル／シリアル変換回路１８０において、自らデータ変換方式を変更するため、実施の形態１の選択回路５ａ〜５ｄは不要となる。
【００４２】
本発明の実施の形態３によれば、実施の形態１と同様の効果が得られる。また、選択回路５ａ〜５ｄが不要となり、シリアル／パラレル変換回路６０およびパラレル／シリアル変換回路１８０はそれぞれ単一の構成であるので、回路規模を縮小できるという効果が得られる。
【００４３】
実施の形態４．
実施の形態１では、ＯＤＦＭ無線通信装置１内のシリアル／パラレル変換部６とパラレル／シリアル変換部１８とが、逆変換可能な変換回路を有する構成であったが、必ずしもそうでなくてもよい。下り回線で対応するシリアル／パラレル変換部６とパラレル／シリアル変換部１８とが、逆変換可能な変換回路を有する構成であり、かつ、上り回線で対応するシリアル／パラレル変換部６とパラレル／シリアル変換部１８とが、逆変換可能な変換回路を有する構成であればよい。
【００４４】
図１２は本発明の実施の形態４によるＯＦＤＭ無線通信装置１２０、１３０の構成を示すブロック図である。ＯＦＤＭ無線通信装置１２０は基地局であり、ＯＦＤＭ無線通信装置１３０は移動局である。基地局のＯＦＤＭ無線通信装置１２０は、シリアル／パラレル変換部６としてシリアル／パラレル変換回路６ａ、６ｂ、６ｃ、６ｄを有する。これに対向して、移動局のＯＦＤＭ無線通信装置１３０は、パラレル／シリアル変換部１８としてパラレル／シリアル変換回路１８ａ、１８ｂ、１８ｃ、１８ｄを有する。この構成により、下り回線において、逆変換可能なシリアル−パラレル間のデータ変換が実現できる。
【００４５】
また、移動局のＯＦＤＭ無線通信装置１３０は、シリアル／パラレル変換部６としてシリアル／パラレル変換回路６ｅ、６ｆ、６ｇ、６ｈを有する。これに対向して、基地局のＯＦＤＭ無線通信装置１２０は、パラレル／シリアル変換部１８としてパラレル／シリアル変換回路１８ｅ、１８ｆ、１８ｇ、１８ｈを有する。なお、シリアル／パラレル変換回路の添え字ａ〜ｈと、パラレル／シリアル変換回路の添え字ａ〜ｈとは、それぞれ対応しており、逆変換可能なデータ変換方式を示している。この構成により、上り回線においても、逆変換可能なシリアル−パラレル間のデータ変換が実現できる。
【００４６】
ここで、シリアル／パラレル変換回路６ａおよびパラレル／シリアル変換回路１８ａによるデータ変換方式を方式Ａ、シリアル／パラレル変換回路６ｂおよびパラレル／シリアル変換回路１８ｂによるデータ変換方式を方式Ｂ、というように呼ぶことにする。下り回線では方式Ａ〜方式Ｄが採用され、上り回線では方式Ｅ〜方式Ｈが採用されている。このように、下り回線と上り回線とで採用されるデータ変換方式が異なっていてもよい。
【００４７】
本発明の実施の形態４によれば、下り回線と上り回線とで採用するデータ変換方式が異なるため、さらに第三者によるデータ変換方式の推定が困難となり、無線通信データの秘匿性が向上し、無線通信の安全性が高まるという効果が得られる。
【符号の説明】
【００４８】
１  ＯＦＤＭ無線通信装置
６  シリアル／パラレル変換部
１８  パラレル／シリアル変換部
２４  演算回路
【図１】
2010166213.tif 000003
【図２】
2010166213.tif 000004
【図３】
2010166213.tif 000005
【図４】
2010166213.tif 000006
【図５】
2010166213.tif 000007
【図６】
2010166213.tif 000008
【図７】
2010166213.tif 000009
【図８】
2010166213.tif 000010
【図９】
2010166213.tif 000011
【図１０】
2010166213.tif 000012
【図１１】
2010166213.tif 000013
【図１２】
2010166213.tif 000014